(57)【特許請求の範囲】
【請求項１】
本体枠の内部に収容されるとともに、遊技球が流下可能な遊技領域及び遊技球が流下不能な中央表示領域を有する遊技盤と、
前記本体枠に開閉自在に軸支され、前記遊技盤を視認可能に形成された開口部を有する前扉と、
前記前扉に設けられ、前記遊技盤の一部を正面側から常時覆うように配設された装飾体と、
前記中央表示領域の一の側方と対向する前記装飾体との間に設けられ、遊技球を１個ずつ流下させることができる通路幅を有するとともに、前記遊技領域に発射された遊技球が前記装飾体によって正面側から視認不能にならないように、前記装飾体の輪郭に沿って形成された球通路と、を備えていることを特徴とする遊技機。
【発明の詳細な説明】
【技術分野】
【０００１】
本発明は、遊技球が流下する遊技盤を備えた遊技機に関するものである。
【背景技術】
【０００２】
この種の遊技機、例えばパチンコ機においては、遊技領域が形成される遊技盤や、遊技盤の前面側に配置される前扉などに、装飾効果を高めるための装飾部や、演出を行うための役物装置などが設けられている。そして、これらの部材が、遊技領域の一部を覆う形で配置される場合もある。一方、遊技領域の中央に液晶表示領域を有しているパチンコ機においては、液晶画面の大型化に伴い、より遊技領域が狭くなる傾向にある。
例えば特許文献１に記載の遊技機では、液晶表示領域の側方に設けた電飾役物と、遊技領域の外縁との間に、遊技球が１個だけ通過できる釘なし遊技領域（球通路）を設けている。
【先行技術文献】
【特許文献】
【０００３】
【特許文献１】特開２０１１−１１５４１４号公報
【発明の概要】
【発明が解決しようとする課題】
【０００４】
上記したような球通路を設ける場合、遊技者が遊技球の流れを確実に把握できるよう、球通路が装飾部や役物装置の陰に隠れてしまわないようにすることが望ましい。
そこで本発明は、上記した従来技術を踏まえた上で、遊技球の流下経路の視認性を確保しつつ、液晶表示領域や、装飾部等の遊技盤を覆う被覆体の占める面積を極力広くすることができる遊技機を提供することを目的とする。
【課題を解決するための手段】
【０００５】
上述した目的を達成するために、本発明は以下のような構成を備える。
すなわち、本発明に係る遊技機（パチンコ機Ｐ）は、本体枠の内部に収容されるとともに、遊技球が流下可能な遊技領域１２０及び遊技球が流下不能な中央表示領域（開口部１１０Ａ）を有する遊技盤１００と、前記本体枠に開閉自在に軸支され、前記遊技盤を視認可能に形成された開口部を有する前扉と、前記前扉に設けられ、前記遊技盤１００の一部を正面側から常時覆うように配設された装飾体（発光表示部２３０）と、前記中央表示領域の一の側方と対向する前記装飾体との間に設けられ、遊技球を１個ずつ流下させることができる通路幅を有するとともに、前記遊技領域に発射された遊技球が前記装飾体によって正面側から視認不能にならないように、前記装飾体の輪郭に沿って形成された球通路１０、１１、１２と、を備えていることを特徴とする。
【０００６】
本発明における「被覆体」は、遊技盤１００に設けられていてもよいし、遊技盤１００の前面に配置される枠体や遊技機の前扉に設けられていてもよい。そして、本発明においては、遊技領域１２０の上部に打ち出された遊技球が、中央表示領域と被覆体との間に設けられた球通路１０〜１２を通って遊技領域１２０の下部に誘導されるものとなる。本発明によれば、中央表示領域の少なくとも一方の側方と被覆体との間の間隙が、遊技球１個が通過可能な幅となるまで、中央表示領域と被覆体の占有面積を拡大することができる。
ここで、前記球通路１０〜１２は前記被覆体の輪郭に沿って形成するとともに、前記球通路１０〜１２が、前記中央表示領域の側縁部を構成するように形成すると、被覆体の形状にかかわらず、より効果的に、中央表示領域と被覆体の占有面積を拡大することができる。
【０００７】
なお、前記中央表示領域の少なくともいずれか一方の側方に、遊技球を受け入れ可能な球入口と受け入れた遊技球を排出する球出口とがそれぞれ別個に形成された複数の前記球通路１０、１１を、並列して配置するようにしてもよい。このように形成した場合には、異なる球出口１０、１１から排出された遊技球の流下経路を異なるものとすることができ、単一の球通路のみによって遊技球を遊技領域１２０の下部に誘導する場合よりも技術介入性を高めることができる。
また、前記球通路１０〜１２の壁面に、対向側の壁面に向かって通路内に突出する複数の突起部１３を形成してもよい。このように形成した場合には、遊技球が突起部１３に衝突することにより落下スピードが減殺され、球通路や球出口が破損するのを防ぐことができる。
【発明の効果】
【０００８】
本発明によれば、遊技機において、遊技球の流下経路の視認性を確保しつつ、液晶表示領域や、装飾部等の遊技盤を覆う被覆体の占める面積を極力広くすることができる。
【図面の簡単な説明】
【０００９】
【図１】パチンコ機の外観正面図である。
【図２】パチンコ機の裏箱ユニットの分解斜視図である。
【図３】パチンコ機の遊技盤の正面概略図である。
【図４】遊技盤のセンター部材の（Ａ）分解正面図及び（Ｂ）球通路の拡大図である。
【図５】役物ユニットの斜視図である。
【図６】役物ユニットのフレームの斜視図である。
【図７】上可動役物の正面斜視図である。
【図８】右可動役物及び上可動役物の背面斜視図である。
【図９】左可動役物の正面斜視図である。
【図１０】右可動役物の正面斜視図である。
【図１１】サブ液晶表示装置の背面斜視図である。
【図１２】左縦横駆動機構の正面斜視図である。
【図１３】回転駆動機構の正面斜視図である。
【図１４】回転駆動機構を示すサブ液晶表示装置の背面図である。
【図１５】傾斜駆動機構の分解斜視図である。
【図１６】傾斜駆動機構の作用を示す図である。
【図１７】左ロック装置を示す斜視図である。
【図１８】左ロック装置の作用を示す正面図である。
【図１９】左ロック装置による左可動役物のロック状態を示す斜視図である。
【図２０】左ロック装置による上可動役物のロック状態を示す正面断面図である。
【図２１】右ロック装置を示す斜視図である。
【図２２】右ロック装置の作用を示す正面図である。
【図２３】右ロック装置による右可動役物のロック状態を示す斜視図である。
【図２４】側方可動役物の移動パターンを示す説明図である。
【図２５】側方可動役物の移動パターンを示す説明図である。
【図２６】側方可動役物の移動パターンを示す説明図である。
【図２７】側方可動役物の移動パターンを示す説明図である。
【発明を実施するための形態】
【００１０】
以下、本発明の好適な実施の形態を、図面を参照しつつ説明する。
（パチンコ機Ｐの外部構成）
本実施の形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示せず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１１】
本実施の形態に係るパチンコ機Ｐは、図１に示すように、島に固定される四角形状の枠体であって、中空部（特に図示せず）を有する機枠Ｆ１と、この機枠Ｆ１にヒンジ機構（特に図示せず）により開閉自在に取り付けられる四角形状の枠体であって、中空部（特に図示せず）を有する本体枠Ｆ２と、この本体枠Ｆ２にヒンジ機構（特に図示せず）により開閉自在に取り付けられ、正面に開口部（特に図示せず）が形成された前扉Ｄと、を備えている。
【００１２】
本体枠Ｆ２の中空部には、遊技領域１２０を形成するための遊技盤１００と、遊技盤１００の背面側に配置される背面ユニット３００（図２参照）が収容されている。また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、透明板４００の左右下方にそれぞれ１個ずつ取り付けられたスピーカＳＰと、が設けられている。
また、図１に示すように、前扉Ｄの左右側には、種々の色や発光パターンで発光することにより演出を行う発光表示部２３０が設けられている。発光表示部２３０は、例えばＬＥＤビジョンとすることができる。
【００１３】
また、上皿６００には、遊技球貸出装置により貸し出される遊技球や、パチンコ機Ｐから払い出される賞球が導かれるようになっている。上皿６００は、所定量の遊技球を受容可能となっているが、この上皿６００が遊技球で一杯になると、その後に貸し出されたり、払い出されたりする遊技球は受皿７００に導かれるようになっている。また、受皿７００の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８００（図１参照）を横方向に移動させることで、開閉板も同方向に移動し、排出孔が開放される。これにより、遊技球を排出孔から落下させて、受皿７００の外に排出することができるようになっている。
【００１４】
また、操作ハンドル５００は、遊技者が所定方向へ向けて回転操作できるように形成されている。そして、遊技者が操作ハンドル５００を回転操作すると、上皿６００に受容されている遊技球が発射装置（特に図示せず）に送られ、発射装置によって、操作ハンドル５００の回転角度に応じた強度で遊技球が発射される。
【００１５】
背面ユニット３００は、図２に示すように、前後方向に貫通する開口部３１０Ａを有する箱形の裏カバー３１０の内部に、複数の演出用可動役物装置を搭載した役物ユニット２を収納したものである。役物ユニット２は、方形枠状のフレーム２０に、上可動役物３及び側方可動役物４が、それぞれ移動可能に取り付けられているものである。なお、役物ユニット２の詳細については後述する。また、役物ユニット２を収納した裏カバー３１０の正面開口は、導光板３２０によって覆われるようになっている。さらに、図示していないが、裏カバー３１０の背面には、画像表示部としてのメイン液晶表示装置２００（図３参照）が配置され、背面ユニット３００の正面には、遊技盤１００を構成する盤面部材１１０が取り付けられる。盤面部材１１０は透明なアクリル板であって、略中央部には開口部１１０Ａが形成されている。盤面部材１１０に種々の構成部品を取り付けることにより、遊技盤１００が構成される。
【００１６】
そして、パチンコ機Ｐは、機枠Ｆ１に対して本体枠Ｆ２を閉じ、さらに、前扉Ｄを閉じると、遊技盤１００の前方に間隙を挟んで透明板４００が位置することとなる。これにより、透明板４００を透過して、後方に位置する遊技盤１００を視認することができるとともに、遊技盤１００のさらに後方に位置する演出用可動役物装置（上可動役物３及び側方可動役物４）およびその後方に位置するメイン液晶表示装置２００の表示画面２１０を、盤面部材１１０の開口部１１０Ａから導光板３２０を透過して視認することができるようになっている。盤面部材１１０の開口部１１０Ａは、パチンコ機Ｐの中央表示領域として機能するものである。
【００１７】
ここで、盤面部材１１０の正面には、図３に示すように、開口部１１０Ａを縁取るようにしてセンター部材１が固定されている。そして、機枠Ｆ１に対し本体枠Ｆ２及び前扉Ｄを閉じた状態で遊技盤１００と透明板４００との間に形成される空間のうち、レールＲ１、Ｒ２の内側（遊技盤１００の中心側）と、センター部材１との間に形成される領域であって、遊技球が流下可能な領域が、遊技領域１２０を構成する。なお、センター部材１の詳細については後述する。
【００１８】
また、盤面部材１１０の正面であって、遊技領域１２０を構成する部分には、図３に示すように、遊技球の流下方向を不規則にするための風車及び多数の釘と、遊技球が入球可能な一般入賞口１４０と、始動領域としての第１始動入賞口１５０及び第２始動入賞口１６０と、所定条件を満たすことで作動する大入賞口装置と、遊技球を遊技盤１００の裏面側に導くアウト口１９０と、が設けられている。なお、本実施の形態では、大入賞口装置として、第２遊技領域１２２の下部に配置される第１大入賞口装置１７と、第１大入賞口装置１７０の上方に設けられる第２大入賞口装置１８との２つが設けられている。
また、センター部材１には、遊技球が通過可能なゲート１３０が設けられている。
【００１９】
一般入賞口１４０は、図３に示すように、遊技領域１２０の下方に２個設けられている。なお、一般入賞口１４０の設置個数は２個に限られず、設置箇所も図示した位置に限られない。第１始動入賞口１５０は、遊技領域１２０の中央下部に設けられており、第２始動入賞口１６０は第１始動入賞口１５０の下方に設けられている。ゲート１３０は第２遊技領域１２２の上部に位置している。アウト口１９０は遊技領域１２０の最下部に複数個設けられている。
【００２０】
また、第２始動入賞口１６０には、図３に示すように、前後方向に開閉可能な可動片１６１が設けられており、可動片１６１が閉じているときには第２始動入賞口１６０は遊技球を受け入れることができないようになっている。一方、可動片１６１が開くと、開いた状態の可動片１６１が第１遊技領域１２１又は第２遊技領域１２２を流下する遊技球を第２始動入賞口１６０へ向けて案内するガイド部材として機能することにより、第２始動入賞口１６０への遊技球の入球が容易となる。
なお、可動片１６１の構成は特に限定されるものではなく、たとえば、盤面部材１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２１】
大入賞口装置のうちの第１大入賞口装置１７は、図３に示すように、遊技球が入球可能な第１大入賞口１７０と、この第１大入賞口１７０を開閉する開閉蓋１７１とを備えている。常態においては、開閉蓋１７１が閉じられ第１大入賞口１７０は閉鎖されており、その上を遊技球が通過してしまい第１大入賞口１７０への遊技球の入球は不可能となっているが、後述する特別遊技が実行されると、特別遊技中の所定時に、開閉蓋１７１が開き第１大入賞口１７０が開放されて、第１大入賞口１７０への遊技球の入球が可能となる。
【００２２】
また、大入賞口装置のうちの第２大入賞口装置１８は、図３に示すように、遊技球が入球可能な第２大入賞口１８０と、この第２大入賞口１８０を開閉する開閉部材１８１とを備えている。常態においては、開閉部材１８１が閉じられ第２大入賞口１８０は閉鎖されており、第２大入賞口１８０への遊技球の入球は不可能となっているが、特別遊技中の所定時に、開閉部材１８１が開き第２大入賞口１８０が開放されるとともに、開閉部材１８１が遊技球を第２大入賞口１８０へ導く受皿部材として機能することにより、第２大入賞口１８０への遊技球の入球が可能となる。さらに、第２大入賞口装置１８の内部には、第２大入賞口１８０に入球した遊技球を受け入れ可能な一般領域１８２及び特定領域１８３の二つの領域と、一般領域１８２と特定領域１８３とに遊技球を振り分けるための振分板（図示せず）が設けられている。振分板は、特定領域１８３の上方空間において突出状態となることにより特定領域１８３を閉塞して一般領域１８２へ遊技球を誘導し、退避状態となることにより特定領域１８３を開放して特定領域１８３へ遊技球を流下させるように形成されているものである。そして、遊技球が特定領域１８３に誘導された場合には、特別遊技の終了後に有利な遊技状態に移行するように形成されている。
【００２３】
メイン液晶表示装置２００は、既述したように、背面ユニット３００の後方に配置されており、図３に示すように、遊技盤１００を正面視すると略中央部に表示画面２１０が位置するようになっている。この表示画面２１０には、背景画像が表示されるほか、所定の演出態様の一部として、演出図柄（ダミー図柄）が変動表示されるようになっている。そして、各演出図柄の停止表示態様により、後述する特別図柄の抽選の結果が遊技者に報知されることとなる。
【００２４】
（遊技の概要）
本実施の形態に係るパチンコ機Ｐでは、発射装置（図示せず）により発射され遊技領域１２０を流下する遊技球が、一般入賞口１４０、第１始動入賞口１５０、第２始動入賞口１６０に入球すると、所定個数の賞球が払い出される。また、遊技球が第１始動入賞口１５０、第２始動入賞口１６０に入球した場合には、第１大入賞口１７０及び第２大入賞口１８０が開放される特別遊技を実行させるか否かを決定する大当たりの抽選が行われるとともに、大当たりの抽選の結果に対応する特別図柄の決定が行われる。そして、この大当たりの抽選によって大当たりに当選すると、第１大入賞口１７０と第２大入賞口１８０のいずれか一方が開閉するラウンド遊技が所定回数行われる特別遊技が実行される。なお、第１大入賞口１７０又は第２大入賞口１８０へ遊技球が入球すると、所定個数の賞球が払い出される。また、１回のラウンド遊技は、第１大入賞口１７０又は第２大入賞口１８０が開放されることにより開始され、開始後、所定時間（例えば２９秒）が経過するか、所定個数（例えば１０個）の遊技球の入球が検出されたかのいずれかの条件に該当すると、第１大入賞口１７０又は第２大入賞口１８０が閉じることにより終了する。そして、所定のインターバル期間（例えば２秒）をおいて、次のラウンド遊技が開始されるようになっている。
【００２５】
ここで、上述のように、大当たりの抽選の結果に応じて特別図柄の決定が行われるが、大当たりに当選した場合には、大当たりの当選に対応付けられた複数種類の特別図柄のうちいずれか一の特別図柄が抽選により決定される。そして、各特別図柄には特別遊技中に実行されるラウンド遊技の回数（ラウンド数）が予め定められている。ラウンド数は１種類であっても複数種類であってもよい。また、第１大入賞口１７０及び第２大入賞口１８０を開放させる時期及び回数は、ラウンド数に応じてあらかじめ定められている。
例えば、１０ラウンドの大当たりの場合には、１〜７ラウンド目までは第１大入賞口１７０のみを開放させ第２大入賞口１８０を開放せず、８ラウンド目と９ラウンド目は第２大入賞口１８０のみを開放させ第１大入賞口１７０を開放せず、１０ラウンド目は再び第１大入賞口１７０のみを開放させる。また、５ラウンドの大当たりの場合には、１〜４ラウンド目までは第１大入賞口１７０のみを開放させ、５ラウンド目は第２大入賞口１８０のみを開放させる。
【００２６】
さらに、本実施の形態では、特別遊技中に第２大入賞口１８０が開放された場合において、特定領域１８３に遊技球が誘導された場合には、当該特別遊技の終了後に、大当たりの抽選によって大当たりに当選する確率が通常状態よりも高くなる高確率状態に移行するように設定されている。また、特別図柄には、振分板の出没パターンである作動パターンが対応付けられており、振分板の作動パターンには、振分板が、特定領域１８３に遊技球が入りやすいように作動するパターンと、特定領域１８３に遊技球が極めて入り難いように作動するパターンとがある。そして、遊技球が入りやすいように作動するパターンに対応付けられた特別図柄が選択された場合には、第２大入賞口１８０が開放されて振分板が作動することにより、遊技球はほぼ特定領域１８３に誘導され、遊技球が極めて入り難いように作動するパターンに対応付けられた特別図柄が選択された場合には、第２大入賞口１８０が開放されて振分板が作動しても、遊技球はほぼ特定領域１８３に誘導されないようになっている。
【００２７】
また、第１始動入賞口１５０へ遊技球が入球すると、第１特別図柄表示装置（図示せず）において、所定時間にわたり特別図柄の変動表示が行われ、第２始動入賞口１６０へ遊技球が入球すると、第２特別図柄表示装置（図示せず）において、所定時間にわたり特別図柄の変動表示が行われる。また、この間、メイン液晶表示装置２００では変動演出が行われる。そして、所定時間の経過後、第１特別図柄表示装置又は第２特別図柄表示装置の変動表示が停止し、大当たり抽選の結果を示す特別図柄が停止表示される。大当たりの抽選に当選している場合には大当たりに対応して決定された特別図柄が停止表示され、ハズレの場合にはハズレに対応して決定された特別図柄が停止表示される。メイン液晶表示装置２００においても図柄変動を停止させて、抽選結果に応じた図柄を停止表示させる。特別遊技に対応付けられた特別図柄が停止表示された場合には、特別遊技が開始される。
【００２８】
また、特別図柄の変動表示が行われている最中、又は特別遊技の実行中に、第１始動入賞口１５０又は第２始動入賞口１６０に遊技球が入球した場合には、その旨が記憶（保留）され、所定の保留表示部に特別図柄の保留数が表示される。そして、特別図柄の変動表示が終了し又は特別遊技が終了した場合には、保留に基づいて大当たりの抽選及び特別図柄の抽選が行われる。保留は、第１始動入賞口１５０、第２始動入賞口１６０への入球に基づきそれぞれ最大４個まですることができ、保留に基づいて大当たりの抽選及び特別図柄の抽選が行われると保留数が減じられ、それに伴い保留表示部の特別図柄の保留数の表示も減じられる。
【００２９】
また、遊技球がゲート１３０を通過すると、上述の第２始動入賞口１６０に設けられた可動片１６１を開状態にさせて第２始動入賞口１６０を開放させるか否かの抽選が行われる。この抽選は、第２始動入賞口１６０の開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０が開放されるようになっている。
【００３０】
そして、ゲート１３０を遊技球が通過すると、図示しない普通図柄表示装置において、所定時間にわたり、普通図柄の変動表示が行われる。そして、変動時間の経過後、普通図柄表示装置の変動表示が停止し、普通図柄の抽選の結果を示す普通図柄が停止表示される。すなわち、当たりの場合には当たりに対応して決定された普通図柄が停止表示され、ハズレの場合にはハズレに対応して決定された普通図柄が停止表示される。当たりに対応して決定された普通図柄が停止表示されると、第２始動入賞口１６０が開放される。第２始動入賞口１６０が開放されている場合には、より多くの遊技球を第２始動入賞口１６０へ入球させることができ、大当たりの抽選を受ける機会が増え、第２始動入賞口１６０が開放されていない場合よりも有利な状態とすることができる。
【００３１】
普通図柄表示装置において普通図柄の変動表示が行われている最中に、ゲート１３０を遊技球が通過した場合には、上記特別図柄の場合と同様に最大４個まで保留され、所定の保留表示部に普通図柄の保留数が表示される。そして、普通図柄の変動表示が終了した場合には、保留に基づいて普通図柄の抽選が行われ、保留数が減じられるとともに保留表示部の普通図柄の保留数の表示も減じられる。
【００３２】
一般入賞口１４０、第１始動入賞口１５０、第２始動入賞口１６０、第１大入賞口１７０、第２大入賞口１８０のいずれにも入球しなかった遊技球はアウト口１９０に受け入れられ、遊技盤１１０の背面側に導かれ回収される。なお、一般入賞口１４０、第１始動入賞口１５０、第２始動入賞口１６０第１大入賞口１７０及び第２大入賞口１８０に入球した遊技球も、遊技盤１００の背面側に導かれ回収される。
【００３３】
（センター部材１）
次に、センター部材１の構造について詳述する。なお、本明細書において、パチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
本実施の形態におけるセンター部材１は、図４（Ａ）に示すように、屋根部材１Ａ、左通路部材１Ｂ、右通路部材１Ｃ及びステージ部材１Ｄの４つのパーツから構成されている。
【００３４】
屋根部材１Ａは、図３に示すように、盤面部材１１０の開口部１１０Ａの上縁部に固定されるものであり、遊技領域１２０の上部に打ち出された遊技球を、パチンコ機Ｐに対向する遊技者から見て左側の領域である第１遊技領域１２１、又は、パチンコ機Ｐに対向する遊技者から見て右側の領域である第２遊技領域１２２のいずれかに誘導するものである。具体的には、操作ハンドル５００の操作に基づく発射装置の発射強度が所定の強度未満（発射装置により発射される遊技球が遊技領域１２０の最高地点に到達しない程度の強度）の場合には、遊技球は屋根部材１Ａの左側の傾斜面に当たって第１遊技領域１２１側に流下する。発射装置の発射強度が所定の強度以上（発射装置により発射される遊技球が遊技領域１２０の最高地点に到達可能な強度）の場合には、遊技球は屋根部材１Ａの右側の傾斜面を経て第２遊技領域１２２側に流下する。
【００３５】
左通路部材１Ｂは、図３に示すように、盤面部材１１０の開口部１１０Ａの左側縁部に固定されるものであり、屋根部材１Ａによって第１遊技領域１２１側に誘導された遊技球を、球通路１０及び球通路１１を介して第１遊技領域１２１の下部に誘導するものである。なお、球通路１０、１１の外観形状は、前扉Ｄの左側に設けられている発光表示部２３０の輪郭と合致している（図１参照）。球通路１０と球通路１１は横方向に並んで形成され、それぞれが個別の球入口と球出口とを有している。すなわち、球通路１０の球入口１０Ａは球通路１０の球出口１０Ｂとのみ連通し、球通路１１の球入口１１Ａは球通路１１の球出口１１Ｂとのみ連通している。そして、球出口１０Ｂ又は球出口１１Ｂから排出された遊技球は、第１遊技領域１２１の下部に流下する。
【００３６】
右通路部材１Ｃは、図３に示すように、盤面部材１１０の開口部１１０Ａの右側縁部に固定されるものであり、屋根部材１Ａによって第２遊技領域１２２側に誘導された遊技球を、球通路１２を介して第２遊技領域１２２の下部に誘導するものである。なお、球通路１２の外観形状は、前扉Ｄの右側に設けられている発光表示部２３０の輪郭と合致している。また、球通路１２の球入口１２Ａは２つに分岐しており、一方の球入口にはゲート１３０が設けられている。そして、分岐した球入口１２Ａはいずれも球出口１２Ｂと連通している。すなわち、一方の球入口１２Ａに入った（ゲート１３０を通過した）遊技球も、他方の球入口１２Ａに入った（ゲート１３０を通過しなかった）遊技球も、単一の球出口１２Ｂから排出される。球出口１２Ｂから排出された遊技球は、第２遊技領域１２２の下部に流下する。
【００３７】
ここで、球通路１０〜１２は、それぞれ、遊技球を１個ずつ流下させることができる通路幅を有している。また、球通路１０〜１２の直線部分を構成する側壁の内壁面には、図４（Ｂ）に示すように、対向する壁面に向かって通路内に突出する複数の突起部１３が形成されている。突起部１３は、２つの内壁のそれぞれに、垂直方向の高さ位置をずらして互い違いに設けられ、左側の内壁の突起部１３と右側の内壁の突起部１３のうち最も近い位置にある突起部１３の頂点の間の距離Ｗは、遊技球の直径よりもやや大きくなるように形成されている。球通路１０〜１２を流下する遊技球は、内壁の湾曲部分に当接し、直線部分では突起部１３に接触することにより、その流下速度が緩和されるものとなっている。
なお、球通路１１の球出口１１Ｂは、側方（右側）に開口するように形成されており、流下してきた遊技球が球出口１１Ｂ付近の下側の内壁に当たって跳ね返ることで、流下速度が減速されるようになっている。このため、下側の内壁の下方には、遊技球の衝撃による内壁の損傷を防ぐための補強リブが形成されている。
【００３８】
ステージ部材１Ｄは、図３に示すように、盤面部材１１０の開口部１１０Ａの下縁部に固定されるものであり、図４（Ａ）に示すように、ワープ通路１４と、ステージ部１５と、隔壁１６を備えている。ワープ通路１４は、遊技球が通過可能なトンネル状の通路であり、第１遊技領域１２１の下部に流下した遊技球を受け入れてステージ部１５に誘導するためのものである。ステージ部１５は、遊技球を上面に載せることができる平板部であり、ステージ部１５の略中央部には遊技球を直下に落下させることができる落下部１５Ｂが形成されている。ワープ通路１４からステージ部１５に誘導された遊技球は、ステージ部１５の上面を転動し、落下部１５Ａから落下するか、落下部１５Ａ以外のステージ部１５の前端部から落下するようになっている。隔壁１６は、ステージ部材１Ｄの右端部に形成された前方に突出する壁部であり、第２遊技領域１２２の下部に流下した遊技球がステージ部１５に流入しないようにするためのものである。
【００３９】
以上のように形成されたセンター部材１を盤面部材１１０に固定することにより、遊技領域１２０の上部に打ち出された遊技球は、盤面部材１１０の開口部１１０Ａを避けて流下し、遊技領域１２０の下部に導かれる。そして、球通路１０又は球通路１１を通過した遊技球は第１遊技領域１２１の下部に流下するか、ワープ通路１４を経てステージ部１５に導かれる。落下部１５Ａから落下した遊技球は、第１始動入賞口１５０へ入球しやすいが、それ以外の場所から落下した遊技球は第１始動入賞口１５０へは入球困難である。なお、遊技球が球通路１０を通過した場合と、球通路１１を通過した場合とでは、ワープ通路１４の入り口への入り易さが異なるので、第１遊技領域１２１へ遊技球を打ち出した場合の技術介入性を持たせることができる。第１遊技領域１２１へ向けて遊技球を打ち出した場合には、第１始動入賞口１５０、第２始動入賞口１６０及び一般入賞口１４０に遊技球を入球させることが可能である。
また、球通路１２を通過した遊技球は、隔壁１６に遮られてステージ部１５へは流入しないまま、第２遊技領域１２２の下部へ流下する。第２遊技領域１２２へ向けて遊技球を打ち出した場合には、ゲート１３０を通過させることができるとともに、第１大入賞口１７０、第２大入賞口１８０、第２始動入賞口１６０及び一般入賞口１４０に遊技球を入球させることが可能である。
【００４０】
（役物ユニット２）
続いて、役物ユニット２について詳述する。
役物ユニット２は、図２及び図５に示すように、大きく分けて、フレーム２０と、フレーム２０に取り付けられる上可動役物３及び側方可動役物４とから構成されている。また、側方可動役物４は、正面視して左側に位置する左可動役物４Ｌと、右側に位置する右可動役物４Ｒとから構成され、それぞれ、サブ液晶表示装置４０（４０Ｌ、４０Ｒ）を備えている。すなわち、側方可動役物４は、サブ液晶表示装置４０を様々な位置に移動させることができるようになっている。
【００４１】
フレーム２０は、上可動役物３及び側方可動役物４を支持する支持枠であって、図６に示すように、上枠２１、下枠２２、左枠２３及び右枠２４からなる。上枠２１には、横方向にわたる上ガイド棒２５が取り付けられており、上ガイド棒２５の手前側には、上ガイド棒２５と平行な上ラック部材２８が取り付けられている。上ラック部材２８は、背面側にラックが形成されている。下枠２２には、横方向にわたる下第１ガイド棒２６と、下第１ガイド棒２６の下方に位置し下第１ガイド棒２６と平行な下第２ガイド棒２７が取り付けられている。また、下第１ガイド棒２６と下第２ガイド棒２７の間には、両者と平行な下ラック部材２９が取り付けられている。下ラック部材２９は、正面側にラックが形成されている。さらに、左枠２３の内側面上部及び右枠２４の内側面下部には、上可動役物３及び側方可動役物４を初期位置に固定するためのロック装置５が設けられている。
【００４２】
（上可動役物３）
上可動役物３は、図５及び図７に示すように、正面側に位置する装飾体３０と、装飾体３０の後方に設けられるベース部材３１とを備えるとともに、図７及び図８に示すように、装飾体３０を左右方向に移動させるための横移動モータ３２と、スライドレール３４Ａを備えたレール部材３４とから構成されている。
装飾体３０は、ベース部材３１の正面部に固定された正面視Ｄ字型の箱形部材であり、内部に発光体等を設けて発光表示されるように形成してもよい。
ベース部材３１は、装飾体３０及び横移動モータ３２を一体化させる支持体であり、図７に示すように、上面にボス３１Ｄが形成され、ここに、図示しないが、スライドレール３４Ａの内部を摺動可能な移動板が固定される。そして、移動板をスライドレール３４Ａに嵌め入れることにより、ベース部材３１がレール部材３４の下方に左右方向に移動可能に支持されるものとなる。
【００４３】
レール部材３４は、フレーム２０の上枠２１に固定されるものである。
横移動モータ３２は、ベース部材３１の背面側に固定されたステッピングモータであって、図８に示すように、横移動モータ３２のモータ軸にはモータギア３３が固定されている。モータギア３３は上ラック部材２８のラックと噛合可能に形成されている。そして、横移動モータ３２が駆動することにより、上ラック部材２８のラックと噛合したモータギア３３が回転し、レール部材３４に支持されたベース部材３１が左右方向に移動する。これにより、装飾体３０が左右方向に移動することとなる。
【００４４】
ここで、図７に示すように、レール部材３４の正面右側には、下方に突出する突起部３４Ｂが設けられているとともに、ベース部材３１の正面左側には、上方に突出する立設片３１Ｂが形成されている。この立設片３１Ｂが突起部３４Ｂに当接することにより、ベース部材３１はそれ以上右側へは移動できないようになっている。また、レール部材３４の背面左下側には、下方に垂下した垂下片３４Ｃが形成されている。この垂下片３４Ｃにベース部材３１の側面が当接することにより、ベース部材３１はそれ以上左側へは移動できないようになっている。
さらに、ベース部材３１の正面左側には、左方に突出する検知片３１Ｃが形成されているとともに、レール部材３４の正面左側には、前記検知片３１Ｃを検出可能なセンサ２Ｃが設けられている。そして、ベース部材３１が、左右方向の可動域の左端部に位置しているとき（ベース部材３１の左側面が垂下片３４Ｃに当接しているとき）に、検知片３１Ｃがセンサ２Ｃによって検出されるようになっている。
【００４５】
（側方可動役物４）
側方可動役物４のうちの左可動役物４Ｌは、図９に示すように、サブ液晶表示装置４０Ｌと、サブ液晶表示装置４０Ｌを支持する左支持部材４３と、サブ液晶表示装置４０Ｌを上下及び左右方向に移動させるための縦横駆動機構５０Ｌとを備えるとともに、図１３に示すように、サブ液晶表示装置４０Ｌを前後方向の水平軸中心に回転させるための回転駆動機構６０と、サブ液晶表示装置４０Ｌを垂直軸中心に回動させるための傾斜駆動機構７０とを備えている。なお、図１３は、サブ液晶表示装置４０Ｌを取り外した左可動役物４Ｌの正面斜視図である。
【００４６】
また、側方可動役物４のうちの右可動役物４Ｒは、図１０に示すように、サブ液晶表示装置４０Ｒと、サブ液晶表示装置４０Ｒを支持する右支持部材４４と、サブ液晶表示装置４０Ｒを上下左右方向に移動させるための縦横駆動機構５０Ｒとを備えるとともに、サブ液晶表示装置４０Ｒを前後方向の水平軸中心に回転させるための回転駆動機構６０と、サブ液晶表示装置４０の表示画面４１の傾斜角度を変化させるための傾斜駆動機構７０（図示せず）とを備えている。なお、右可動役物４Ｒのサブ液晶表示装置４０Ｒ、縦横駆動機構５０Ｒ、回転駆動機構６０及び傾斜駆動機構７０は、左可動役物４Ｌのサブ液晶表示装置４０Ｌ、縦横駆動機構５０Ｌ、回転駆動機構６０及び傾斜駆動機構７０と同様の構成部品を有している。
【００４７】
（サブ液晶表示装置４０）
サブ液晶表示装置４０（４０Ｌ、４０Ｒ）は、図９及び図１０に示すように、図示しない液晶モジュールを収納した外装ケース４２を備え、外装ケース４２の正面は液晶画像が表示される表示画面４１となっている。また、図１１に示すように、外装ケース４２の背面中央部には、背面側に突出する回転軸４７が形成されているとともに、回転軸４７の周囲には外周に歯車の歯が設けられた回転用ギア４５が形成されている。また、外装ケース４２の背面であって回転用ギア４５の外周側には、球状に凹んだ凹部４２Ａ及び４２Ｂが、上下左右にそれぞれ２個ずつ形成されている。
そして、サブ液晶表示装置４０は、回転軸４７を回転駆動機構６０に取り付けた状態で、左支持部材４３及び右支持部材４４に、上下方向にスライド可能に支持される。なお、図１１はサブ液晶表示装置４０Ｌを背面視した斜視図であり、サブ液晶表示装置４０Ｒは、サブ液晶表示装置４０Ｌと上下反転した向きで右支持部材４４に支持されるものとなっている。
【００４８】
（左支持部材４３及び右支持部材４４）
左支持部材４３の上端部には、図９に示すように、上ガイド棒２５が挿通可能な孔を有する受け部４３Ｂが形成されており、左支持部材４３の下部には、図示していないが、第１下ガイド棒２６及び第２下ガイド棒２７がそれぞれ挿通可能な孔を有する受け部が形成されている。上ガイド棒２５、第１下ガイド棒２６及び第２下ガイド棒２７を左支持部材４３の受け部の孔に挿通させた状態で、上ガイド棒２５、第１下ガイド棒２６及び第２下ガイド棒２７をフレーム２０に組み付けることにより、左支持部材４３がフレーム２０の開口部２０Ａ内を左右方向にスライド可能に支持される。
【００４９】
また、右支持部材４４の上部には、図１０に示すように、上ガイド棒２５を挿通可能な孔を有する受け部４４Ｂが形成されており、右支持部材４４の下端部には、下第１ガイド棒２６を挿通可能な孔を有する受け部４４Ｃが形成されている。上ガイド棒２５及び下第１ガイド棒２６を右支持部材４４の受け部の孔に挿通させた状態で、上ガイド棒２５及び下第１ガイド棒２６をフレーム２０に組み付けることにより、左支持部材４３がフレーム２０の開口部２０Ａ内を左右方向にスライド可能に支持される。
【００５０】
（縦横駆動機構５０Ｌ）
縦横駆動機構５０Ｌは、図１２に示すように、横移動モータ５１と、縦移動モータ５３と、連結ギア５５と、スパイラルシャフト５６と、ナット部材５７（図１３参照）とから構成されている。
横移動モータ５１は、左支持部材４３の下部に設けられた水平板状の下部固定部（図示せず）に固定されたステッピングモータであって、横移動モータ５１のモータ軸にはモータギア５２が固定されている。モータギア５２は下ラック部材２９のラックと噛合可能に形成されている。そして、横移動モータ５１が駆動することにより、下ラック部材２９のラックと噛合したモータギア５２が回転し、上ガイド棒２５、第１下ガイド棒２６及び第２下ガイド棒２７によってフレーム２０に支持された左支持部材４３が左右方向に移動する。これにより、左可動役物４Ｌ全体が左右方向に移動することとなる。
【００５１】
ここで、図６に示すように、フレーム２０の左枠２３には、縦長の左ストッパ部材２３Ａが設けられており、この左ストッパ部材２３Ａにサブ液晶表示装置４０Ｌの左側面が当接することにより、左可動役物４Ｌはそれ以上左側へは移動できないようになっている。また、図６及び図１２に示すように、ラック部材２９の右端部には、下第１ガイド棒２６の上方に突出する右サイドストッパ２９Ａが形成されており、この右サイドストッパ２９Ａに左支持部材４３の右側面が当接することにより、左可動役物４Ｌはそれ以上右側へは移動できないようになっている。
さらに、図５及び図９に示すように、左支持部材４３の下側左端部には左側に突出する検知片４８が設けられているとともに、図６に示すように、フレーム２０の下枠２２の左下端部には、前記検知片４８を検出可能なセンサ２Ａが設けられている。そして、左支持部材４３が、左右方向の可動域の左端部に位置しているとき（サブ液晶表示装置４０Ｌの左側面が左ストッパ部材２３Ａに当接しているとき）に、検知片４８がセンサ２Ａによって検出されるようになっている。
【００５２】
縦移動モータ５３は左支持部材４３の下部固定部に固定されたステッピングモータであって、図１２に示すように、縦移動モータ５３のモータ軸にはモータギア５４が固定されている。また、モータギア５４の回転をスパイラルシャフト５６に伝達するための複数の連結ギア５５が設けられている。具体的には、スパイラルシャフト５６の下部に連結ギア５５Ｂが固定され、モータギア５４と連結ギア５５Ｂに噛合する連結ギア５５Ａが下部固定部に固定されている。
スパイラルシャフト５６は、外周に螺旋ネジが形成された軸であり、その下端部は左支持部材４３の下部固定部に固定され、その上端部は左支持部材４３の高さ方向略中央部に形成された水平板状の軸固定部（図示せず）に固定されている。また、スパイラルシャフト５６の上端部と下端部の間には、スパイラルシャフト５６の螺旋ネジと螺号するナットを備えたナット部材５７（図１３参照）が取り付けられている。ナット部材５７は、後述するヒンジ部材７７を介して、サブ液晶表示装置４０Ｌと連結されている。
【００５３】
そして、縦移動モータ５３が駆動することにより、モータギア５４及び連結ギア５５を介してスパイラルシャフト５６が回転する。スパイラルシャフト５６はナット部材５７のナット内部で回転しサブ液晶表示装置４０Ｌにはスパイラルシャフト５６の回転力が伝わらないので、スパイラルシャフト５６の回転に伴い、スパイラルシャフト５６に対するナット部材５７の高さ位置が変化し、左支持部材４３に支持されたサブ液晶表示装置４０Ｌが上下方向に移動することとなる。
【００５４】
ここで、ナット部材５７が左支持部材４３の下部固定部に当接することにより、サブ液晶表示装置４０Ｌはそれ以上下側へは移動できず、ナット部材５７が左支持部材４３の軸固定部に当接することにより、サブ液晶表示装置４０Ｌはそれ以上上側へは移動できないようになっている。
また、図１３に示すように、ナット部材５７には、上側に突出する検知片５７Ａが形成されており、左支持部材４３には、図示しないが、検知片５７Ａを検出可能な上限位置検出センサが設けられている。そして、ナット部材５７が、上下方向の可動域の上端部に位置しているとき（軸固定部に当接しているとき）に、検知片５７Ａが上限位置検出センサによって検出されるようになっている。
なお、ナット部材５７が上下方向の可動域の上端部に位置しても、サブ液晶表示装置４０Ｌが上可動役物３の装飾体３０に干渉することはないように形成されている。
【００５５】
（縦横駆動機構５０Ｒ）
縦横駆動機構５０Ｒは、縦横駆動機構５０Ｌと同様の構成を有しているが、横移動モータ５１及び縦移動モータ５３は右支持部材４４の上部に設けられた水平板状の上部固定部（図示せず）に固定されている。また、スパイラルシャフト５６の上端部は上部固定部に固定され、下端部は右支持部材４４の高さ方向略中央部よりもやや上方に形成された水平板状の軸固定部（図示せず）に固定されている。そして、図８に示すように、横移動モータ５１のモータギア５２は、上ラック部材２８のラックと噛合可能に形成されている。
縦横駆動機構５０Ｒの作用は、縦横駆動機構５０Ｌと同様である。すなわち、横移動モータ５１が駆動することにより、上ガイド棒２５及び第１下ガイド棒２６によってフレーム２０に支持された右支持部材４４が左右方向に移動し、縦移動モータ５３が駆動することにより、右支持部材４４に支持されたサブ液晶表示装置４０Ｒが上下方向に移動するものである。
【００５６】
ここで、図６及び図２１に示すように、フレーム２０の右枠２４には、縦長の右ストッパ部材２４Ａが設けられており、この右ストッパ部材２４Ａにサブ液晶表示装置４０Ｒの右側面が当接することにより、右可動役物４Ｒはそれ以上左側へは移動できないようになっている。また、図６に示すように、上枠２１の正面略中央部には、上ガイド棒２５の上方に突出する左サイドストッパ２５Ａが設けられている。そして、この左サイドストッパ２５Ａに右支持部材４４の左側面が当接することにより、右可動役物４Ｒはそれ以上左側へは移動できないようになっている。
さらに、図５に示すように、右支持部材４４の上側右端部には左側に突出する検知片４９が設けられているとともに、フレーム２０の上枠２１の右上端部には、前記検知片４９を検出可能なセンサ２Ｂが設けられている。そして、右支持部材４４が、左右方向の可動域の右端部に位置しているとき（右可動役物４Ｒのサブ液晶表示装置４０の右側面が右ストッパ部材２４Ａに当接しているとき）に、検知片４９がセンサ２Ｂによって検出されるようになっている。
【００５７】
また、縦横駆動機構５０Ｒのナット部材５７が右支持部材４４の上部固定部に当接することにより、サブ液晶表示装置４０Ｒはそれ以上上側へは移動できず、ナット部材５７が右支持部材４４の軸固定部に当接することにより、サブ液晶表示装置４０Ｒはそれ以上下側へは移動できないようになっている。
なお、図示していないが、縦横駆動機構５０Ｒのナット部材５７には、下側に突出する検知片５７Ａが形成されており、右支持部材４４には検知片５７Ａを検出可能な下限位置検出センサが設けられている。そして、ナット部材５７が、上下方向の可動域の下端部に位置しているときに、検知片５７Ａが下限位置検出センサによって検出されるようになっている。
ここで、以下に述べる回転駆動機構６０及び傾斜駆動機構７０については、左可動役物４Ｌと右可動役物４Ｒとで、各構成部品が上下反転左右対称の位置に設けられており、上下左右の方向は異なるが同様の作用効果を奏するものである。本実施の形態では、左可動役物４Ｌにおける回転駆動機構６０及び傾斜駆動機構７０の構成に基づいて説明するものとする。
【００５８】
（回転駆動機構６０）
回転駆動機構６０は、図１３及び図１４に示すように、回転ベース６１と、回転用モータ６３とから構成されている。
回転ベース６１は、後述するヒンジ部材７７を介して、左支持部材４３にスライド可能に支持されるとともに、サブ液晶表示装置４０Ｌを、回転軸４７を中心に回転可能に支持するものである。回転ベース６１の正面（サブ液晶表示装置４０Ｌの外装ケース４２の背面と対向する面）には、軸孔を有する軸受け部６２が形成されており、サブ液晶表示装置４０Ｌの回転軸４７は、軸孔内を回転可能かつ軸孔から抜脱不能に取り付けられている。
【００５９】
また、回転ベース６１には、図示しないバネにより正面側に向かって突出するように付勢された出没球６５Ａ、６５Ｂが取り付けられている。出没球６５Ａ、６５Ｂは、常態において回転ベース６１の正面に設けられた開口部からわずかに突出するように配置され、正面側から圧力を受けた場合には回転ベース６１の内部に没入する。そして、回転ベース６１にサブ液晶表示装置４０を取り付けた状態で、サブ液晶表示装置４０Ｌの向きが、長辺が垂直となる縦長状態（図１４に実線で示した状態）である場合、及び長辺が水平となる横長状態（図１４に二点鎖線で示した状態）である場合に、サブ液晶表示装置４０Ｌの外装ケース４２の裏面に形成された凹部４２Ａ、４２Ｂとそれぞれ合致するようになっている。
【００６０】
回転用モータ６３は、回転ベース６１に固定されたステッピングモータであって、図１４に示すように、回転用モータ６３のモータ軸にはモータギア６４が固定されている。モータギア６４はサブ液晶表示装置４０Ｌの回転用ギア４５と噛合可能に形成されている。そして、回転用モータ６３が駆動することにより、回転用ギア４５と噛合したモータギア６４が回転し、これにより、サブ液晶表示装置４０Ｌが回転軸４７を中心に回転することとなる。
【００６１】
ここで、回転用ギア４５には、図１１に示すように、外側（回転軸４７と反対側）に張り出すストッパ突起４６が設けられているとともに、回転ベース６１には、図１３に示すように、正面側に突出するギアストッパ６６が形成されている。ギアストッパ６６は、上側に位置する第１係止部６６Ａと、下側に位置する第２係止部６６Ｂとを有している。そして、サブ液晶表示装置４０Ｌは、初期状態（工場出荷時、リセット時又は原点復帰時）においては、図５に示すように縦長状態となっており、このときストッパ突起４６は、第１係止部６６Ａとも第２係止部６６Ｂとも当接しない場所に位置している（図１４参照）。そして、サブ液晶表示装置４０Ｌが初期位置（初期状態における位置）から正面視して時計回り（図１４では反時計回り）に９０度回転すると、ストッパ突起４６が第２係止部６６Ｂに当接し、サブ液晶表示装置４０Ｌが初期位置から正面視して反時計回り（図１４では時計回り）に１８０度回転すると、ストッパ突起４６が第１係止部６６Ａに当接するようになっている。これにより、サブ液晶表示装置４０Ｌの回転角度は最大２７０度に規制される。
【００６２】
また、サブ液晶表示装置４０Ｌが縦長状態又は横長状態であるときには、出没球６５Ａが凹部４２Ａに嵌まり込み、出没球６５Ｂが凹部４２Ｂに嵌まり込んで突出状態となっているが（図１６参照）、サブ液晶表示装置４０Ｌが回転すると、出没球６５Ａ、６５Ｂはそれぞれ凹部４２Ａ、４２Ｂの縁を乗り越えて移動し、外装ケース４２の裏面に押されて没入状態となる。出没球６５Ａ、６５Ｂによって、回転ベース６１の正面と外装ケース４２の裏面との間に僅かな隙間が生じているので、回転ベース６１の正面と外装ケース４２の裏面とが接触することはない。そして、サブ液晶表示装置４０Ｌが所定方向に９０度回転すると、出没球６５Ａ、６５Ｂは回転方向側の次の凹部４２Ａ、４２Ｂに嵌まり込むようになっている。これにより、サブ液晶表示装置４０の回転中の摩擦を少なくすることができるとともに、サブ液晶表示装置４０Ｌを縦長状態又は横長状態で安定的に停止させることができる。
【００６３】
なお、回転用ギア４５のストッパ突起４６には、図１１に示すように検知片４６Ａが形成されており、回転ベース６１には、図示しないが、前記検知片４６Ａを検出可能な回転置検出センサが設けられている。そして、サブ液晶表示装置４０Ｌが、初期状態の回転位置に位置しているとき（縦長状態でストッパ突起４６が図１１に示す位置にあるとき）に、検知片４６Ａが回転位置検出センサによって検出されるようになっている。
【００６４】
（傾斜駆動機構７０）
傾斜駆動機構７０は、図１５に示すように、カム部材７１と、傾斜用モータ７２と、ピン部材７６と、ヒンジ部材７７（図１３、図１６参照）とから構成されている。
カム部材７１は、上下に貫通するカム孔７１Ａ及びスプライン孔７１Ｂを有している。カム孔７１Ａは平面視湾曲形状に形成され、孔内には、２つのブッシュ７４が上下から挿入されるようになっている。スプライン孔７１Ｂは、孔内周に複数の縦方向の突条が形成された丸孔である。
傾斜用モータ７２はステッピングモータであって、モータ軸７２Ａには、カム部材７１のスプライン孔７１Ｂに嵌合可能なスプライン軸を有するスプライン部材７３が固定されている。
【００６５】
ピン部材７６は、回転ベース６１に固定されるアングル部材であり、上方に突出するピン７６Ａを備えている。ピン７６Ａは、ブッシュ７４を介してカム部材７１のカム孔７１Ａに挿通されるようになっている。
ヒンジ部材７７は、図１３に示すように、縦方向のヒンジ軸７７Ａ（図１６参照）によって連結された２つの固定部材７７Ｂ、７７Ｃを有している。一方の固定部材７７Ｂは、左支持部材４３に上下方向にスライド可能に支持され、他方の固定部材７７Ｃは回転ベース６１に固定されている。これにより、回転ベース６１に支持されたサブ液晶表示装置４０Ｌが左支持部材４３に上下方向にスライド可能に支持されるものとなる。そして、左支持部材４３に支持された固定部材７７Ｂには、ナット部材５７が固定されている。これにより、サブ液晶表示装置４０とナット部材５７が一体化されるものとなる。固定部材７７Ｂには、傾斜用モータ７２が固定されている。
【００６６】
そして、傾斜用モータ７２が駆動すると、スプライン部材７３の回転に伴ってカム部材７１が水平方向に回動し、ブッシュ７４を外装したピン７６Ａのカム孔７１Ａ内における位置が変化する。すなわち、ピン７６Ａがカム孔７１Ａのカム面に沿って相対的に移動する。これにより、スプライン孔７１Ｂの中心（傾斜用モータ７２のモータ軸７２Ａ）とピン７６Ａとの距離が変化して、サブ液晶表示装置４０Ｌがヒンジ軸７７Ａを中心に前後方向（図１６では上下方向）に回動するものとなる。具体的には、サブ液晶表示装置４０Ｌの表示画面４１の向きが、図１６（Ａ）に示す傾斜状態（表示画面４１の左側が手前側、右側が奥側となるように傾斜した状態）である場合に、カム部材７１が平面視して反時計回りに所定角度回動した場合には、カム部材７１がサブ液晶表示装置４０を押し離してサブ液晶表示装置４０Ｌが平面視時計回りに回動し、サブ液晶表示装置４０Ｌは図１６（Ｂ）に示す対面状態（表示画面４１が遊技者と対峙する前面を向いた状態）となる。また、サブ液晶表示装置４０Ｌが対面状態である場合に、カム部材７１が平面視して時計回りに所定角度回動した場合には、カム部材７１がサブ液晶表示装置４０Ｌを引き寄せてサブ液晶表示装置４０Ｌが平面視反時計回りに回動し、サブ液晶表示装置４０Ｌは傾斜状態となる。
【００６７】
なお、サブ液晶表示装置４０Ｌは、初期状態においては、図５に示すように、傾斜状態となっている。
また、図１５に示すように、カム部材７１には、側方に張り出す検出片７１Ｃが形成されているとともに、図１６に示すように、回転ベース６１の背面部には、検出片７１Ｃを検出可能なセンサ７５が設けられている。そして、サブ液晶表示装置４０Ｌが傾斜状態である場合に、検知片７１Ｃがセンサ７５によって検出されるようになっている。
【００６８】
（ロック装置５）
本実施の形態においては、図６に示すように、ロック装置５として、上可動役物３及び左可動役物４Ｌを初期位置にロックするための左ロック装置８０と、右可動役物４Ｒを初期位置にロックするための右ロック装置９０とが設けられている。左ロック装置８０はフレーム２０の左枠２３に固定され、右ロック装置９０はフレーム２０の右枠２４に固定されるものである。
（左ロック装置８０）
左ロック装置８０は、図１７及び図１８に示すように、ソレノイド８１と、ソレノイド８１のソレノイド軸８１Ａに連結された移動体８２と、ソレノイド８１及び移動体８２を覆うカバー部材８５とを備えている。
ソレノイド軸８１Ａは、図１８（Ａ）に示すように、コイルバネ８１Ｂによって常時下側に突出するように付勢されており、ソレノイド８１が通電状態（ＯＮ）になると、図１８（Ｂ）に示すように没入状態となる。ソレノイド軸８１Ａの突出側端部付近には、軸直交方向に張り出すピン８１Ｃが固定されており、ピン８１Ｃには移動体８２の下部８２Ａが係止されている。そして、ソレノイド８１がＯＮになることにより、移動体８２が上方向に移動するようになっている。移動体８２の上部には、鉤型の上フック８３が形成されており、上フック８３の下方には鉤型の下フック８４が形成されている。
【００６９】
ここで、図１３及び図１９に示すように、左可動役物４Ｌの左支持部材４３の上部には、前方に突出する係止突起４３Ａが設けられている。また、図７及び図２０に示すように、上可動役物３のベース部材３１の側面下部には、左側に開口する側面開口部が形成されており、この側面開口部の下縁部は棒状の係止部３１Ａとなっている。そして、ソレノイド８１が非通電状態（ＯＦＦ）である場合において、上可動役物３のベース部材３１が初期位置（左右方向の可動域の左端部）に位置しているときには、図１８（Ａ）に示すように、上フック８３がベース部材３１の側面開口部内に進入して係止部３１Ａを係止し（図２０参照）、左可動役物４Ｌの左支持部材４３が初期位置（左右方向の可動域の左端部）に位置しているときには、下フック８４が係止突起４３Ａを係止するようになっている（図１９参照）。これにより、上可動役物３及び左可動役物４Ｌの右方向への移動が規制される（ロックされる）。そして、ソレノイド８１がＯＮになると移動体８２が上方向に移動し、図１８（Ｂ）に示すように、上フック８３による係止部３１Ａの係止、及び下フック８４による係止突起４３Ａの係止が解除され、上可動役物３及び左可動役物４Ｌが移動可能となる（ロックが解除される）。
【００７０】
また、初期位置から所定の移動位置まで移動した上可動役物３のベース部材３１及び左可動役物４Ｌの左支持部材４３が初期位置に戻る場合には、ソレノイド８１をＯＮにしなくても自動的にロックされるようになっている。具体的には、ベース部材３１が初期位置に戻る場合には、係止部３１Ａの傾斜部３１１（図１８参照）が上フック８３の傾斜部８３Ａに当接してコイルバネ８５Ｂの付勢力に抗して移動体８２を上方に押し上げ、その後傾斜部３１１と傾斜部８３Ａの接触が断たれる（上フック８３の下を係止部３１Ａがくぐり抜ける）と、移動体８２がコイルバネ８５Ｂの付勢力によって下側に移動し、上フック８３が係止部３１Ａを係止する。また、左支持部材４３が初期位置に戻る場合には、係止突起４３Ａの傾斜部４３１（図１８参照）が下フック８４の傾斜部８４Ａに当接して移動体８２を上方に押し上げ、その後傾斜部４３１と傾斜部８４Ａの接触が断たれると、移動体８２が下側に移動し、下フック８４が係止突起４３Ａを係止する。
【００７１】
ここで、左可動役物４Ｌについては、上下方向の可動域の上端部（上下方向の初期位置）に位置しかつ傾斜状態（図１６(Ａ)参照）となっているサブ液晶表示装置４０Ｌの左下角部は、左ストッパ部材２３Ａの下端部に形成された張出部２３１（図１７参照）に係止されており、それ以上下側へは移動できないようになっている。すなわち、左可動役物４Ｌが初期位置にあるときには、左ロック装置８０によって左支持部材４３の右方向への移動をロックされているとともに、左ストッパ部材２３Ａによってサブ液晶表示装置４０Ｌの下方向への移動をロックされている状態となっている。
そして、図１６（Ｂ）に示すように、対面状態のサブ液晶表示装置４０Ｌの左側面が左ストッパ部材２３Ａの右側面に当接している状態では、左支持部材４３は初期位置に到達しておらず、図１６（Ａ）に示すように、傾斜状態のサブ液晶表示装置４０Ｌの左側面が左ストッパ部材２３Ａの傾斜面２３２に当接した場合には、左支持部材４３が左側にｔだけ多く移動でき、初期位置に到達するようになっている。すなわち、対面状態のサブ液晶表示装置４０Ｌが左ストッパ部材２３Ａに当接しただけでは、サブ液晶表示装置４０Ｌがロックされないとともに、下フック８４は係止突起４３Ａを係止せず、左可動役物４Ｌがロックされないものである。
【００７２】
したがって、左可動役物４Ｌを左ロック装置８０によってロックするためには、対面状態のサブ液晶表示装置４０Ｌを傾斜状態に戻したうえで、もしくは傾斜状態に戻しつつ、左支持部材４３を左方向に移動させるか、対面状態のサブ液晶表示装置４０Ｌを左ストッパ部材２３Ａに当接させた状態で傾斜状態に戻すようにする必要がある。
なお、例えば、サブ液晶表示装置４０Ｌを初期位置に戻すと見せかけて再度右側に移動させるような作動を行わせる場合には、サブ液晶表示装置４０Ｌを対面状態にしたまま左ストッパ部材２３Ａに当接させることにより、一連の作動の流れの途中で左可動役物４Ｌがロックされてしまうのを回避できる。
【００７３】
（右ロック装置９０）
右ロック装置９０は、図２１及び図２２に示すように、ソレノイド９１と、ソレノイド９１のソレノイド軸９１Ａに連結された移動体９２と、ソレノイド９１及び移動体９２を覆うカバー部材９５とを備えている。
ソレノイド軸９１Ａは、図２２（Ａ）に示すように、コイルバネ９１Ｂによって常時下側に突出するように付勢されており、ソレノイド９１がＯＮになると、図２２（Ｂ）に示すように没入状態となる。ソレノイド軸９１Ａの突出側端部付近には、軸直交方向に張り出すピン９１Ｃが固定されており、ピン９１Ｃには移動体９２の下部９２Ａが係止されている。そして、ソレノイド９１がＯＮになることにより、移動体９２が上方向に移動するようになっている。移動体９２の下端部には、傾斜部９３Ａを有する係止突起９３が形成されている。
【００７４】
ここで、図１０及び図２３に示すように、右可動役物４Ｒの右支持部材４４の下部には、前方に突出する係止突起４４Ａが設けられている。そして、ソレノイド９１がＯＦＦである場合において、右可動役物４Ｒの左支持部材４４が初期位置（左右方向の可動域の右端部）に位置しているときには、図２２（Ａ）に示すように、係止突起９３が係止突起４４Ａを係止するようになっている。これにより、右可動役物４Ｒの左方向の移動がロックされる。そして、ソレノイド９１がＯＮになると移動体９２が上方向に移動し、図２２（Ｂ）に示すように、係止突起９３による係止突起４４Ａの係止が解除され、右可動役物４Ｒのロックが解除される。
【００７５】
また、初期位置から所定の移動位置まで移動した右支持部材４４が、初期位置に戻る場合には、ソレノイド９１をＯＮにしなくても、係止突起４４Ａの傾斜部４１１（図２２参照）が係止突起９３の傾斜部９３Ａに当接して移動体９２を上方に押し上げ、その後傾斜部４４１と傾斜部９３Ａの接触が断たれると、移動体９８が下側に移動して係止突起９３が係止突起４４Ａを係止する。
なお、右可動役物４Ｒにおいても、左可動役物４Ｌと同様に、初期状態において、右可動役物４Ｒのサブ液晶表示装置４０Ｒの右上角部は、右ストッパ部材２４Ａの上端部に形成された張出部２４１（図２１参照）に係止されており、それ以上上側へは移動できないようになっている。
そして、左可動役物４Ｌと同様に、対面状態のサブ液晶表示装置４０Ｒが右ストッパ部材２４Ａに当接しても、係止突起９３が係止突起４４Ａを係止せず、傾斜状態のサブ液晶表示装置４０Ｒが右ストッパ部材２４Ａの傾斜面２４２（図２１参照）に当接した場合に、右支持部材４４が初期位置に移動して係止突起９３が係止突起４４Ａを係止するように形成されている。
【００７６】
（役物ユニット２の作動）
次に、上記構成を有する役物ユニット２の作動について説明する。
ここで、役物ユニット２は、遊技中の所定契機に該当した場合、例えば、大当たりの抽選に当選した場合や、大当たりを示唆する演出の実行抽選に当選した場合などに、パチンコ機Ｐの役物制御装置（図示せず）の制御に基づいて、所定の態様で作動するようになっている。
役物制御装置は、ロック装置５の作動（ソレノイド８１、９１のＯＮ／ＯＦＦ）や、ステッピングモータ（横移動モータ３２、５１、縦移動モータ５３、回転用モータ６３及び傾斜用モータ７２）の駆動を制御するものであり、ＣＰＵ、ＲＯＭ、ＲＡＭ等を搭載した制御基板を備えている。そして、役物制御装置は、遊技中の所定契機に該当した場合にはロック装置５を解除状態にするとともに、所定の可動役物のステッピングモータを作動させるためのあらかじめ設定された作動制御プログラムを実行する。
【００７７】
役物制御装置が作動制御プログラムに基づき、各ステッピングモータのモータ軸を所定時間（所定ステップ数）回転させることにより、装飾体３０の横移動や、サブ液晶表示装置４０の縦横移動や、サブ液晶表示装置４０の回転移動（回転軸４７を中心とした回転、ヒンジ軸７７Ａを中心とした回動）が実現される。
なお、便宜上、移動対象（装飾体３０やサブ液晶表示装置４０）が初期位置から所定の移動位置又は回転位置に移動することとなるようにステッピングモータのモータ軸を回転させることを正転駆動といい、移動対象が所定の移動位置又は回転位置から初期位置に移動することとなるようにステッピングモータのモータ軸を回転させることを逆転駆動というものとする。
【００７８】
（上可動役物３の作動）
初期状態においては、ベース部材３１は左右方向の可動域の左端部（初期位置）に位置しており、センサ２Ｃは検知片３１Ｃ（図７参照）を検出している（検知状態である）。このとき、装飾体３０は、図３に示すように、遊技盤１００の盤面部材１１０の開口部１１０Ａの外側に位置しており、パチンコ機Ｐを正面視した場合にはほとんど視認できない。
そして、上可動役物３を作動させる所定条件が満たされると、左ロック装置８０のソレノイド８１がＯＮにされて、上可動役物３のロックが解除される。そして、横移動モータ３２が正転駆動することによりベース部材３１が右方向に移動する。ベース部材３１が所定距離だけ右方向に移動すると、センサ２Ｃは非検知状態となる。センサ２Ｃが非検知状態になった後は、ソレノイド８１がＯＦＦにされても、上可動役物３のロックはすでに解除されているので、ベース部材３１の移動に支障はない。そして、横移動モータ３２が所定ステップ数だけ正転駆動することにより、ベース部材３１が所定の移動位置に移動し、図３に二点鎖線で示すように、装飾体３０が正面側から視認可能な位置となる。
【００７９】
ベース部材３１が所定の移動位置にあるとき（センサ２Ｃが非検知状態であるとき）に横移動モータ３２が逆転駆動すると、ベース部材３１が初期位置に向かって左方向に移動する。また、横移動モータ３２の逆転駆動中に、センサ２Ｃが検知状態になった場合には、横移動モータ３２が駆動停止するようになっている。これにより、ベース部材３１は初期位置に戻ったときに移動を停止するものとなる。ベース部材３１が初期位置に戻る過程で、左ロック装置８０の上フック８３がベース部材３１の係止部３１Ａ（図２０参照）を係止する位置に移動するので、左ロック装置８０のソレノイド８１をＯＮにしなくても上可動役物３は左ロック装置８０によってロックされる。
【００８０】
上可動役物３の作動パターンとしては、例えば、装飾体３０を最大移動位置（遊技盤１００の中央部）に移動させて所定時間停止させた後に初期位置に戻すパターンや、最大移動位置で停止させないで初期位置に戻すパターンや、最大移動位置まで移動させないで途中で初期位置に戻すパターンなどを設けることができる。装飾体３０に発光体を搭載し、発光体を点灯点滅させながら装飾体３０を移動させたり、移動位置で発光体が点灯点滅するようにしてもよい。
【００８１】
（側方可動役物４の作動）
初期状態においては、左可動役物４Ｌの左支持部材４３は左右方向の可動域の左端部（初期位置）に位置し、右可動役物４Ｒの右支持部材４４は左右方向の可動域の右端部（初期位置）に位置しているとともに、左可動役物４Ｌのサブ液晶表示装置４０Ｌは上下方向の可動域の上端部（初期位置）、右可動役物４Ｒのサブ液晶表示装置４０Ｒは上下方向の可動域の下端部（初期位置）に位置している。また、左右のサブ液晶表示装置４０（４０Ｌ、４０Ｒ）は縦長状態かつ傾斜状態となっている。センサ２Ａ（図６参照）は検知片４８（図９参照）を検出している検知状態であり、センサ２Ｂ（図６参照）は検知片４９（図５参照）を検出している検知状態である。また、回転ベース６１に設けられた上限位置検出センサ及び下限位置検出センサ（図示せず）は検知片５７Ａ（図１３参照）を検出している検知状態であり、センサ７５（図１６参照）は検知片７１Ｃ（図１５参照）を検出している検知状態である。さらに、回転ベース６１に設けられた回転置検出センサ（図示せず）はサブ液晶表示装置４０のストッパ突起４６に設けられた検知片４６Ａ（図１１参照）を検出している検知状態である。
【００８２】
初期状態のパチンコ機Ｐを正面視すると、図３に示すように、左右のサブ液晶表示装置４０は、同じ高さに位置しており、左右のサブ液晶表示装置４０が、遊技盤１００の盤面部材１１０の開口部１１０Ａの内部に半分ほど突出している。ただ、サブ液晶表示装置４０は開口部１１０Ａの奥側に配置されているとともに、サブ液晶表示装置４０が傾斜状態となっているので、開口部１１０Ａの外側に位置している表示画面４１の部分も正面側から視認可能である。また、サブ液晶表示装置４０のさらに奥側に位置しているメイン液晶表示装置２００の表示画面２１０を、２つのサブ液晶表示装置４０の間から視認可能である。
【００８３】
そして、側方可動役物４を作動させる所定条件が満たされると、左ロック装置８０のソレノイド８１がＯＮにされて左可動役物４Ｌのロックが解除されるとともに、右ロック装置９０のソレノイド９１がＯＮにされて右可動役物４Ｒのロックが解除される。そして、横移動モータ５１が正転駆動することにより、左支持部材４３が右方向に、右支持部材４４が左方向に移動する。左支持部材４３及び右支持部材４４が所定距離だけ移動すると、センサ２Ａ及びセンサ２Ｂは非検知状態となる。センサ２Ａ及びセンサ２Ｂが非検知状態になった後は、ソレノイド８１及びソレノイド９１をＯＦＦにしても、左可動役物４Ｌ及び右可動役物４Ｒのロックはすでに解除されているので、左支持部材４３及び右支持部材４４の移動に支障はない。
【００８４】
また、左支持部材４３及び右支持部材４４が横方向に移動した場合には、サブ液晶表示装置４０が左ストッパ部材２３Ａ又は右ストッパ部材２４Ａから離れるので、サブ液晶表示装置４０の上下方向のロックが解除され、縦移動モータ５３の正転駆動によりサブ液晶表示装置４０を所定の移動位置まで縦方向に移動させることができるようになる。縦移動モータ５３の正転駆動によって、サブ液晶表示装置４０Ｌが下方に移動すると、上限位置検出センサは非検知状態となり、サブ液晶表示装置４０Ｒが上方に移動すると、下限位置検出センサが非検知状態となる。
また、左支持部材４３及び右支持部材４４が所定距離だけ横方向に移動した場合には、回転用モータ６３の正転駆動により、サブ液晶表示装置４０を、回転軸４７を中心に回転させることができるようになる。回転用モータ６３が所定ステップ数正転駆動するとサブ液晶表示装置４０が９０度回転し、縦長状態から横長状態になる。回転用モータ６３が所定ステップ数の２倍だけ正転駆動するとサブ液晶表示装置４０が１８０度回転し、上下反転した縦長状態になる。回転用モータ６３によってサブ液晶表示装置４０が所定角度回転した場合には、回転位置検出センサが非検知状態となる。
【００８５】
さらに、左支持部材４３及び右支持部材４４を横方向に移動させる場合や、サブ液晶表示装置４０を上下に移動させたり回転させたりする場合には、傾斜用モータ７２の正転駆動によりカム部材７１を回動させて、サブ液晶表示装置４０を傾斜状態から対面状態に移行させることができる（図１６参照）。傾斜用モータ７２の正転駆動によりカム部材７１が回動すると、回転ベース６１に設けられたセンサ７５は非検知状態となる。なお、サブ液晶表示装置４０を傾斜状態にしたまま、左支持部材４３及び右支持部材４４を横方向に移動させたり、サブ液晶表示装置４０を上下に移動させたり回転させたりしてもよい。
【００８６】
そして、側方可動役物４を初期位置に戻す場合には、上下方向の移動位置に移動しているサブ液晶表示装置４０を上下方向の初期位置に戻し、所定の回転位置に回転した状態のサブ液晶表示装置４０を初期状態の回転位置に戻し、対面状態になっているサブ液晶表示装置４０を傾斜状態に戻したうえで、左支持部材４３及び右支持部材４４を初期位置に移動させるようになっている。
具体的には、サブ液晶表示装置４０が上下方向の移動位置にある（上限位置検出センサ、下限位置検出センサが非検知状態である）場合には、縦移動モータ５３を逆転駆動させて、サブ液晶表示装置４０を初期位置に向けて縦移動させる。左可動役物４Ｌの縦移動モータ５３の逆転駆動中に上限位置検出センサが検知状態になった場合には、縦移動モータ５３は駆動停止し、サブ液晶表示装置４０Ｌは初期位置で移動を停止する。右可動役物４Ｒの縦移動モータ５３の逆転駆動中に下限位置検出センサが検知状態になった場合には、縦移動モータ５３は駆動を停止し、サブ液晶表示装置４０Ｒは初期位置で移動を停止する。
【００８７】
また、サブ液晶表示装置４０（４０Ｌ、４０Ｒ）が所定の回転位置にある（回転位置検出センサが非検知状態である）場合には、回転用モータ６３を逆転駆動させて、サブ液晶表示装置４０を初期状態の回転位置に向けて回転させる。回転用モータ６３の逆転駆動中に回転位置検出センサが検知状態になった場合には、回転用モータ６３は駆動停止し、サブ液晶表示装置４０は初期状態の回転位置で回転を停止する。
そして、サブ液晶表示装置４０が対面状態である（センサ７５が非検知状態である）場合には、傾斜用モータ７２を逆転駆動させて、カム部材７１を初期位置に向かって回動させ、サブ液晶表示装置４０を対面状態から傾斜状態になる方向に回動させる。傾斜用モータ７２の逆転駆動中にセンサ７５が検知状態になった場合には、傾斜用モータ７２が駆動停止し、サブ液晶表示装置４０は傾斜状態で回動を停止する。
【００８８】
左支持部材４３及び右支持部材４４が所定の移動位置にある（センサ２Ａ、２Ｂが非検知状態である）ときに、横移動モータ５１が逆転駆動すると、左支持部材４３及び右支持部材４４が初期位置に向かって横移動する。
左可動役物４Ｌの横移動モータ５１の逆転駆動中に、センサ２Ａ（図６参照）が検知状態になった場合には、横移動モータ５１が駆動停止し、左支持部材４３は初期位置で移動を停止する。左支持部材４３が初期位置に戻る過程で、左ロック装置８０の下フック８４が左支持部材４３の係止突起４３Ａ（図１９参照）を係止する位置に移動するので、左ロック装置８０のソレノイド８１がＯＮにならなくても左可動役物４Ｌは左ロック装置８０によってロックされる。
また、右可動役物４Ｒの横移動モータ５１の逆転駆動中に、センサ２Ｂ（図６参照）が検出状態になった場合には、横移動モータ５１が駆動停止し、右支持部材４４は初期位置で移動を停止する。右支持部材４４が初期位置に戻る過程で、右ロック装置９０の係止突起９３が右支持部材４４の係止突起４４Ａ（図２３参照）を係止する位置に移動するので、右ロック装置９０のソレノイド９１がＯＮにならなくても右可動役物４Ｒは右ロック装置９０によってロックされる。
【００８９】
なお、前述したように、サブ液晶表示装置４０が傾斜位置に戻っていないと、左支持部材４３及び右支持部材４４は初期位置に到達できないので、横移動モータ５１を逆転駆動させると同時に、又は逆転駆動させる前に、サブ液晶表示装置４０を傾斜状態に戻しておく。
あるいは、横移動モータ５１を正転駆動させる場合（左支持部材４３及び右支持部材４４を移動位置に移動させる場合）には、サブ液晶表示装置４０が必ず対面状態となるように設定しておくとともに、横移動モータ５１の逆転駆動によって、対面状態のサブ液晶表示装置４０が左ストッパ部材２３Ａ又は右ストッパ部材２４Ａに当接する位置（サブ液晶表示装置４０Ｌについて図１６(Ｂ)参照）に左支持部材４３及び右支持部材４４が移動してきた場合に、センサ２Ａ又はセンサ２Ｂが検知状態となって横移動モータ５１が駆動停止するように形成し、サブ液晶表示装置４０が左ストッパ部材２３Ａ又は右ストッパ部材２４Ａに当接した状態で、対面状態から傾斜状態に戻し、それに伴う左支持部材４３及び右支持部材４４の位置移動（サブ液晶表示装置４０Ｌについて図１６(Ａ)参照）によって、左支持部材４３及び右支持部材４４が初期位置に戻る（ロックされる）ようにしてもよい。
【００９０】
以上述べたような作動を組み合わせて、側方可動役物４を種々のパターンで作動させることができる。側方可動役物４の作動パターンの一例を、図２４乃至図２７に示す。
図２４は、サブ液晶表示装置４０Ｌを右側に、サブ液晶表示装置４０Ｒを左側に移動させて、左右のサブ液晶表示装置４０が隣接するようにしたものである。このように移動させた場合には、縦長状態のサブ液晶表示装置４０が横方向に合体した状態でメイン液晶表示装置２００の表示画面２１０の略中央部を覆うものとなる。サブ液晶表示装置４０は対面状態でもよいし傾斜状態でもよい。
【００９１】
図２５は、（Ａ）サブ液晶表示装置４０Ｌを右側に移動させつつ下側に移動させ（上可動役物３との干渉を避けるためである）、サブ液晶表示装置４０Ｒを左側に移動させるとともに、（Ｂ）各サブ液晶表示装置４０を回転させて横長状態（回転方向はどちらでもよい）にし、（Ｃ）しかる後、横長状態にした左右のサブ液晶表示装置４０を横方向に移動させて、左右のサブ液晶表示装置４０が隣接するようにしたものである。このように移動させた場合には、横長状態のサブ液晶表示装置４０が横方向に合体した状態でメイン液晶表示装置２００の表示画面２１０を覆うものとなる。
【００９２】
図２６は、図２５（Ｃ）に示す状態から、（Ａ）サブ液晶表示装置４０Ｌを下方に移動させるとともに、サブ液晶表示装置４０Ｒを上方に移動させ、（Ｂ）しかる後、サブ液晶表示装置４０Ｌを右側に、サブ液晶表示装置４０Ｒを左側に移動させて、左右のサブ液晶表示装置４０が上下に並ぶようにしたものである。このように移動させた場合には、横長状態のサブ液晶表示装置４０が縦方向に合体した状態でメイン液晶表示装置２００の表示画面２１０を覆うものとなる。
【００９３】
図２７は、図２４に示す状態から、（Ａ）サブ液晶表示装置４０Ｌを下方に移動させるとともに、液晶表示装置４０Ｒを上方に移動させ、（Ｂ）しかる後、サブ液晶表示装置４０Ｌを右側に、サブ液晶表示装置４０Ｒを左側に移動させ、左右のサブ液晶表示装置４０が上下に並ぶようにしたものである。このように移動させた場合には、縦長状態のサブ液晶表示装置４０が縦方向に合体した状態でメイン液晶表示装置２００の表示画面２１０を覆うものとなる。ちなみに、左支持部材４３はサブ液晶表示装置４０Ｌの左側に、右支持部材４４はサブ液晶表示装置４０Ｒの右側に位置しているので、２つのサブ液晶表示装置４０が図２７（Ｂ）に示す態様で配置されても、左支持部材４３と右支持部材４４が干渉しあうことはない。
【００９４】
なお、図示した作動例は一例であって、これ以外の作動パターンを設けてもよい。例えば、左可動役物４Ｌのみを作動させたり、右可動役物４Ｒのみを作動させるパターンを設けてもよい。また、上可動役物３と側方可動役物４とが連動して作動する作動パターンを設けてもよい。この場合には、上可動役物３の装飾体３０と側方可動役物４のサブ液晶表示装置４０とが互いに干渉しない作動態様となるよう設定することはいうまでもない。
【００９５】
（まとめ）
以上のように、本実施の形態においては、遊技盤１００の中央に役物ユニット２の演出用可動役物装置及びメイン液晶表示装置２００の表示画面２１０を視認可能とする中央表示領域（開口部１１０Ａ）を設けるとともに、前扉Ｄには、正面視したとき遊技盤１００の一部を覆うように発光表示部２３０（被覆体）を設け、中央表示領域の左右両側には、センター部材１によって形成される発光表示部２３０の輪郭に沿った球通路１０〜１２を設けてある。このように形成してあることから、遊技球が発光表示部２３０の陰に隠れてしまうことがなく、遊技者は球通路１０〜１２を流下する遊技球を確認しながら遊技を行うことができる。
また、遊技領域１２０の上側から下側に球通路１０〜１２を経て遊技球を流下させるようにしてあるので、中央表示領域や発光表示部２３０の領域を最大限に広げることができ、演出表示面積の拡大により遊技の興趣を高めることができる。
また、センター部材１は、複数のパーツに分割されているので、例えば、遊技球との接触によって破損した場合でも、破損したパーツのみ交換することができ、修理コストを削減することができる。
【００９６】
なお、正面視したとき遊技盤１００を覆うように設置される被覆体は発光表示部２３０のような平面的なものに限られず、例えばキャラクタのレリーフなどの立体的な装飾体としてもよい。また、被覆体は前扉Ｄに設けられるものに限られず、前扉Ｄの内側に配置されるガラス枠や遊技盤１００に設けられていてもよい。また、球通路１０〜１２の形状は、必ずしも被覆体の輪郭に合致していなくてもよく、被覆体に隠れてしまわないように形成されていればよい。また、上記した実施の形態では、第１遊技領域１２１を流下する遊技球が複数の球通路１０、１１を通過するように形成してあったが、球通路１２に隣接する球通路を設けて、第２遊技領域１２２を流下する遊技球も複数の球通路を通過するように形成してもよい。
【００９７】
また、本実施の形態における演出用可動役物装置のうちの側方可動役物４は、フレーム２０の横枠（上枠２１、下枠２２）に沿って横方向に移動可能な支持部材（左支持部材３３、右支持部材３４）に、回転ベース６１を介してサブ液晶表示装置４０を上下方向に移動可能に取り付け、さらにサブ液晶表示装置４０が縦長状態と横長状態とに方向変換するようにサブ液晶表示装置４０を水平軸中心に回転させることができるとともに、サブ液晶表示装置４０が傾斜状態と対面状態とに方向転換するようにサブ液晶表示装置４０を垂直軸中心に回動させることができるように形成されている。これにより、サブ液晶表示装置４０を、横方向、縦方向に移動させることができるとともに、縦横に回転、前後に回動させることができ、演出の態様を豊富にして遊技の興趣を高めることかできる。
【００９８】
さらに、側方可動役物４は、左可動役物４Ｌと右可動役物４Ｒの、ほぼ左右対称の２つの可動役物から構成されているので、２つのサブ液晶表示装置４０を種々の態様で配置し組み合わせることができ、よりいっそう遊技の興趣を高めることかできる。
なお、サブ液晶表示装置４０を支持する支持部を、フレーム２０に対して上下方向に移動可能に形成してもよい。また、側方可動役物４は、左右（又は上下）いずれか一方にのみに設けられていてもよく、サブ液晶表示装置４０の代わりに、ランプやＬＥＤなどの発光表示部を有する表示装置や、立体形状のフィギアなどを設けてもよい。
【００９９】
また、本実施の形態においては、演出用可動役物装置が初期位置にあるときの移動を制限するロック装置５を設けてある。これにより、例えばパチンコ機Ｐの梱包時や搬送時等に、演出用可動役物が動かないように固定しておくことができる。またこのロック装置５は、遊技機の構成部品として役物ユニット２のフレーム２０に固定されている。ロック装置を別部材とした場合には、パチンコ機Ｐを撤去したり移動させたりする際に演出用可動役物にロック装置を固定しなければならないが、本実施の形態によればそのような手間はかからない。また、パチンコ機Ｐを遊技場に設置して稼働させた後、ロック装置をどこかに紛失してしまうおそれもない。
また、ロック装置５は、演出用可動役物装置の作動時にソレノイド８１、９１をＯＮにすれば解除状態になるので、演出用可動役物装置の作動と同期してロックを解除することができ、ソレノイド８１、９１をＯＦＦにしてあっても可動体の初期位置への復帰に伴いロック状態になるので、いったんロック解除したあとはソレノイド８１、９１をＯＦＦにしておくことができ、無駄な電力を消費することがない。
【０１００】
そして、ロック装置５のうち、左ロック装置８０は、上可動役物３及び左可動役物４Ｌ係止突起３１Ａ、係止突起３３Ａとそれぞれ係合可能な上フック８３及び下フック８４を備えており、左ロック装置８０によって、上可動役物３及び左可動役物４Ｌの双方をロック可能となっている。これにより、少ないロック装置５で演出用可動役物装置がロック可能となり、部品点数の削減ひいてはコスト削減を図ることができる。
なお、上記した実施の形態では、ロック装置５をフレーム２０に固定してあったが、ロック装置５は、演出用可動役物装置を初期位置に固定することができれば、遊技機のいずれかの場所に固定されていればよい。
また、係止部及び被係止部の形状は、上記した実施の形態のものに限定されるものではなく、上記した実施の形態と同様の作用効果を得られる形状であれば、どのような形状であってもかまわない。
【符号の説明】
【０１０１】
Ｐ  パチンコ機（遊技機）              １  センター部材
１Ａ  屋根部材                        １Ｂ  左通路部材
１Ｃ  右通路部材                      １Ｄ  ステージ部材
１０、１１、１２  球通路              １３  突起
２  役物ユニット                    ２０  フレーム
３  上可動役物                        ４  側方可動役物
４Ｌ  左可動役物                      ４Ｒ  右可動役物
４０  サブ液晶表示装置                ５０  縦横駆動機構
６０  回転駆動機構                    ７０  傾斜駆動機構
８０  左ロック装置                    ９０  右ロック装置
１００  遊技盤                        １１０  盤面部材
１１０Ａ  開口部（中央表示領域）      １２０  遊技領域
【図１】
0006436537.tif 000002
【図２】
0006436537.tif 000003
【図３】
0006436537.tif 000004
【図４】
0006436537.tif 000005
【図５】
0006436537.tif 000006
【図６】
0006436537.tif 000007
【図７】
0006436537.tif 000008
【図８】
0006436537.tif 000009
【図９】
0006436537.tif 000010
【図１０】
0006436537.tif 000011
【図１１】
0006436537.tif 000012
【図１２】
0006436537.tif 000013
【図１３】
0006436537.tif 000014
【図１４】
0006436537.tif 000015
【図１５】
0006436537.tif 000016
【図１６】
0006436537.tif 000017
【図１７】
0006436537.tif 000018
【図１８】
0006436537.tif 000019
【図１９】
0006436537.tif 000020
【図２０】
0006436537.tif 000021
【図２１】
0006436537.tif 000022
【図２２】
0006436537.tif 000023
【図２３】
0006436537.tif 000024
【図２４】
0006436537.tif 000025
【図２５】
0006436537.tif 000026
【図２６】
0006436537.tif 000027
【図２７】
0006436537.tif 000028